(57)【要約】【課題】不要時にコンパクトに収容可能で、介護者の負担を少なくして、被介護者の姿勢を容易に変えることが可能な介護用膨脹袋を提供する。【解決手段】介護用膨脹袋１は、複数の軟質シートの端辺同士を一体に加工して袋体に形成し、該袋体は、平坦な底面１０と、該底面の一辺１１から所定の角度θを持って連続し、前記一辺側から徐々に高さが増加する傾斜状の上面２０とを含み、袋体に空気を出し入れ可能な空気弁Ｂを備え、空気を入れることによって、被介護者を押し上げて姿勢を変化させる。【選択図】図１
0003139760.tif 000002
【実用新案登録請求の範囲】
【請求項１】
複数の軟質シートの端辺同士を一体に加工して袋体に形成し、
該袋体は、
平坦な底面と、
該底面の一辺から所定の角度を持って連続し、前記一辺側から徐々に高さが増加する傾斜状の上面とを含み、
袋体に空気を出し入れ可能な空気弁を備え、
空気を入れることによって、被介護者を押し上げて姿勢を変化させることを特徴とする介護用膨脹袋。
【請求項２】
底面と上面のいずれか一方若しくは双方には、滑り止めが付されていることを特徴とする請求項１に記載の介護用膨張袋。
【請求項３】
軟質シートは、
底面を構成するシートと、
上面を構成するシートと、
該底面と上面の両側をそれぞれ連結する一対の側面を構成するシートと、
底面と上面と側面の後側を閉塞する後面を構成するシートとからなることを特徴とする請求項１又は請求項２に記載の介護用膨脹袋。
【請求項４】
軟質シートは軟質樹脂で形成され、
該軟質シートの端辺同士をウエルダ加工して袋体を形成していることを特徴とする請求項１乃至請求項３のいずれかに記載の介護用膨脹袋。
【請求項５】
軟質樹脂は塩化ビニール樹脂であることを特徴とする請求項４に記載の介護用膨脹袋。
【請求項６】
複数の軟質シートの端辺同士を一体に加工して、
平坦な底面と、該底面の一辺から所定の角度を持って連続し、前記一辺側から徐々に高さが増加する傾斜状の上面とを含み、空気を出し入れ可能な空気弁を備えた袋体に形成した第一の膨張部と、
該第一の膨張部と同形に形成された第二の膨張部と、
該第一の膨張部と第二の膨張部の前記一辺側同士を重ね合わせて結合する結合部とで構成され、
空気を入れることによって、被介護者を押し上げて姿勢を変化させることを特徴とする介護用膨脹袋。
【請求項７】
結合部は、少なくとも、第一の膨張部と第二の膨張部の、それぞれ一辺側にて重ね合わせられる対向領域に備えられ、リブ状に突出して所定間隔で配設された突起群からなり、
該突起群が重ねあわされて結合することによって構成されることを特徴とする請求項６に記載の介護用膨脹袋。
【請求項８】
軟質シートは、
底面を構成するシートと、
上面を構成するシートと、
該底面と上面の両側をそれぞれ連結する一対の側面を構成するシートと、
底面と上面と側面の後側を閉塞する後面を構成するシートとからなることを特徴とする請求項６又は請求項７に記載の介護用膨脹袋。
【請求項９】
軟質シートは軟質樹脂で形成され、
該軟質シートの端辺同士をウエルダ加工して袋体を形成していることを特徴とする請求項６乃至請求項８のいずれかに記載の介護用膨脹袋。
【請求項１０】
軟質樹脂は塩化ビニール樹脂であることを特徴とする請求項９に記載の介護用膨脹袋。
【考案の詳細な説明】
【技術分野】
【０００１】
本考案は、横たわった被介護者の身体を左右方向に起こすための介護用膨脹袋に関する。
【背景技術】
【０００２】
怪我や病気の養生のため横たわった被介護者を看護する場合において、被介護者のベッドや敷布団に接している身体表皮を清浄したり、シーツや浴衣等を交換したりするためには、予め被介護者を左右方向のいずれかに寝返りをうつように起こす必要がある。とりわけ被介護者が身体衰弱状態にある場合には、被介護者が体を起こす姿勢をとることが困難であり、専ら介護者の腕力に頼らざるを得ない。
被介護者の寝たきりの状態が長期間にわたって継続した場合には、被介護者の敷布団に接している身体表皮の血行が悪化して皮膚障害を招くことから、適度に姿勢を変え、血行障害を防ぐ必要がある。このように、寝ている人の姿勢を変える方法の一例として、特許文献１は、三角柱状のクッションを被介護者の背中にあてがう方法を開示していており、このような三角柱状のクッションは一般的に普及している。
【０００３】
しかし、このように三角柱状のクッションをあてがう場合にも、被介護者は介護者の腕力に頼って側方に姿勢を変えて、敷布団と背中の隙間をつくる必要があり、被介護者の姿勢を起こす介護者の他にクッションを所定位置にあてがうための別の介護者が必要となる場合もあった。このように、介護においては、介護者の負担が大きく、その疲労の増加が問題となっていた。
また、クッションが三角柱状であるので、被介護者の背中にあてがった後に、介護者の体重に押されることにより、クッションが、被介護者の背中の所定位置から飛び出してしまう場合もあった。
さらに、クッションは、通常、三角柱状のスチロール製の芯材が使用されているので、不要時にもクッションの形状が変わらないので嵩が張り、運搬設備や保管場所のスペースを消費してしまうという問題もあった。また、芯材が、例えば被介護者の尿などで汚れた場合には、汚れた芯材を洗浄して乾燥させるための設備と手間がかかる等の問題もあった。
【０００４】
【特許文献１】実用新案登録第３１３０７０３号公報
【考案の開示】
【考案が解決しようとする課題】
【０００５】
本考案の目的は、不要時にコンパクトに収容可能で、介護者の負担を少なくして、被介護者の姿勢を容易に変えることが可能な介護用膨脹袋を提供することである。
【課題を解決するための手段】
【０００６】
上記課題を達成するために本考案がなした技術的手段は、複数の軟質シートの端辺同士を一体に加工して袋体に形成し、該袋体は、平坦な底面と、該底面の一辺から所定の角度を持って連続し、前記一辺側から徐々に高さが増加する傾斜状の上面とを含み、袋体に空気を出し入れ可能な空気弁を備え、空気を入れることによって、被介護者を押し上げて姿勢を変化させることを特徴とする介護用膨脹袋としたことである。その場合、底面と上面のいずれか一方若しくは双方には、滑り止めが付されていても良い。また、軟質シートは、底面を構成するシートと、上面を構成するシートと、該底面と上面の両側をそれぞれ連結する一対の側面を構成するシートと、底面と上面と側面の後側を閉塞する後面を構成するシートとからなっていても良い。さらに、軟質シートは軟質樹脂で形成され、該軟質シートの端辺同士をウエルダ加工して袋体を形成する場合もある。なお、軟質樹脂は塩化ビニールであっても良い。
また、複数の軟質シートの端辺同士を一体に加工して袋体に形成し、該袋体は、平坦な底面と、該底面の一辺から所定の角度を持って連続し、前記一辺側から徐々に高さが増加する傾斜状の上面とを含み、袋体に空気を出し入れ可能な空気弁を備えて構成される第一の膨張部と、該第一の膨張部と同形に形成された第二の膨張部と、該第一の膨張部と第二の膨張部の前記一辺側同士を重ね合わせて結合する結合部とで構成されることを特徴とする介護用膨張袋とする場合もある。その場合、結合部は、少なくとも、第一の膨張部と第二の膨張部の、それぞれ一辺側にて重ね合わせられる対向領域に備えられ、リブ状に突出して所定間隔で配設された突起群からなり、該突起群が重ねあわされて結合することによって構成されていても良い。また、軟質シートは、底面を構成するシートと、上面を構成するシートと、該底面と上面の両側をそれぞれ連結する一対の側面を構成するシートと、底面と上面と側面の後側を閉塞する後面を構成するシートとからなっていても良い。さらに、軟質シートは軟質樹脂で形成され、該軟質シートの端辺同士をウエルダ加工して袋体を形成する場合もある。なお、軟質樹脂は塩化ビニール樹脂であっても良い。
【考案の効果】
【０００７】
本考案によれば、不要時にコンパクトに収容可能で、介護者の負担を少なくして、被介護者の姿勢を容易に変えることが可能な介護用膨脹袋を提供することができる。
【考案を実施するための最良の形態】
【０００８】
本考案による介護用膨脹袋を図に従って説明する。なお、図１は本考案による介護用膨脹袋の実施例１を示し、（ａ）は膨脹させた介護用膨張袋を上面側から見た斜視図、（ｂ）は同膨脹袋を底面側から見た斜視図、（ｃ）は（ａ）のＡ−Ａ線断面図である。また、図２乃至図５は、介護用膨張袋の実施例１の使用形態を示し、図６及び図７は、実施例１の介護用膨張袋の変形例を示す。
また、図８は、実施例２による介護用膨脹袋を示し、（ａ）は第一の膨張部と第二の膨張部が結合した状態を示し、（ｂ）は一方の膨張部が膨脹した状態を示す説明図である。また、図９は、実施例２による介護用膨脹袋の膨脹部を示し、（ａ）は膨脹させた膨張部を上面側から見た斜視図、（ｂ）は底面側から見た斜視図、（ｃ）は（ａ）のＡ−Ａ線断面図である。また、図１０乃至図１３は、実施例２による介護用膨脹袋の使用形態を示し、図１４及び図１５は、実施例２による介護用膨脹袋の変形例を示す。
【実施例１】
【０００９】
介護用膨脹袋１は、軟質シートの端辺同士を一体に加工して袋体に形成されており、本実施例では、複数の軟質樹脂による軟質シートの端辺同士をウエルダ加工で溶着して楔状の袋体に形成されている。この介護用膨脹袋１は、空気を入れて膨脹させることによって、被介護者を押し上げて姿勢を変化させる。なお、本実施例では、軟質樹脂として塩化ビニール樹脂が採用され、ビニールシートによって袋体を形成している。
前記複数のビニールシートは、図１（ａ）及び図１（ｂ）に示すように、平坦な底面１０と、傾斜面からなる上面２０と、該底面１０と上面２０の両側をそれぞれ連結して配される一対の側面３０，４０と、底面１０と上面２０と側面３０，４０の後側を閉塞する後面５０とからなり、該後面５０には空気弁Ｂが備えられている。
【００１０】
底面１０は、前辺（短辺）１１と後辺（短辺）１２及び一対の側辺（長辺）１３，１４とで形成された平坦な長方形を成している。
上面２０は、前辺（短辺）２１と後辺（短辺）２２及び一対の側辺（長辺）２３，２４とで形成された平坦な長方形を成し、短辺２１，２２間の距離は、底面１０の短辺１１，１２間の距離よりも長く設定されている。また、前辺（短辺）２１は、底面１０の前辺（短辺）１１と重ね合わされて溶着されている。
【００１１】
一方の側面３０は、２つの長辺３１，３２と１つの短辺３３による三角形に形成されており、その一方の長辺３１は、底面１０の一方の側辺（長辺）１３と重ね合わされて溶着され、他方の長辺３２は上面２０の一方の側辺２３と重ね合わされて溶着されている。また、長辺３１と長辺３２は所定の角度θとなるように設定されている。所定の角度θとして、本実施例では、約３０度に設定している。
他方の側面４０は、前記一方の側面３０と同形に形成されており、その一方の長辺４１は底面１０の他方の側辺（長辺）１４と重ね合わされて溶着され、他方の長辺４２は上面２０の他方の側辺２４と重ね合わされて溶着されている。なお、本実施例では、上述した各面は平面で構成されている。
これにより、上面２０は、底面１０の一辺（前辺１１）から上面２０の後辺２２に向けて、底面１０に対して所定の角度で徐々に高さが増加する傾斜面となる。
【００１２】
後面５０は、一対の長辺５１，５２と一対の短辺５３，５４とで形成された横長の長方形を成し、長辺５１は底面１０の後辺１２と、長辺５２は上面２０の後辺２２と、短辺５３は一方の側面３０の短辺３３と、短辺５４は他方の側面４０の短辺４３と、それぞれ重ね合わされて溶着されている。
これにより、介護用膨脹袋１は、図１（ｃ）に示すように膨脹時の断面視が三角形状となり、図１（ａ）及び図１（ｂ）に示すような楔形状の全体形状を呈する。
【００１３】
空気弁Ｂは、前記後面５０の表面に備えられ、膨脹袋１の内外を貫通すると共に、膨脹袋１の内部に吹き込まれた空気を漏らさず溜め置くための開閉可能な逆止弁を有している。空気弁は、上記開閉可能な逆止効果を有していればどのような空気弁でも良いが、本実施例では、浮き輪等に一般的に用いられるものと同様なニップル形状の空気弁Ｂが採用されている。
【００１４】
介護用膨張袋１は、図２に示すように、空気を抜いて畳まれた状態で、被介護者Ｐの背中の幅方向片側寄りに当てて配される。このとき、被介護者Ｐは、介護用膨張袋１の膨脹時傾斜方向と直交するように仰臥する。
次に、介護用膨張袋１の空気弁Ｂから空気を吹き込んだ場合を説明する。この場合には、図３に示すように、介護用膨張袋１が徐々に膨らみ、被介護者Ｐの背中の片側寄り（図では向かって右側）を上方（矢印Ｄ１方向）に押し上げる。
なお、介護用膨張袋１に空気を吹き込む作業は、介護者が行っても被介護者Ｐが行っても良い。被介護者Ｐが行う場合には、例えば、リモコンにより電動空気ポンプを操作すれば良い。
【００１５】
さらに空気が吹き込まれると、介護用膨張袋１はさらに膨らむので、図４に示すように、上面２０が、表面の形状を被介護者Ｐの背中の曲線に合わせて変形しつつ、傾斜角度を増していく（図４中の角度θ１参照）。このとき、上面２０には、傾斜角度θ１に対して略垂直方向に被介護者Ｐの背中を押す力（図４中の矢印Ｄ１）が発生し、これにより、被介護者Ｐは斜め上方（矢印Ｄ１方向）に押し上げられる。
さらに空気が吹き込まれると、介護用膨張袋１はさらに膨らみ、上面２０がさらに傾斜する（図５中の角度θ２参照）。このとき、被介護者Ｐは、背部を肩幅方向に丸めるようにしつつ、図中左肩（ＬＳ）を支点にして回転し易くなる。
【００１６】
本考案の介護用膨張袋１によれば、介護者の腕力に頼らずに、被介護者Ｐの姿勢を容易に起こすことができるので、身体表皮を清浄したり、シーツや浴衣等を交換したりする看護のための介護者の疲労を軽減することができる。また、介護用膨脹袋１を膨脹させたままクッションとして使用することにより、介護用膨張袋１の空気の量を調節すれば、体に当たる面積や硬さを好みに応じて変化させることができる。或いは、本考案に介護用膨脹袋１によって被介護者の姿勢を起こした状態で、別にクッションをあてがう場合には、介護用膨張袋１の空気量を調節することにより、クッションに少しだけ体重が掛かった状態にすることができるので、介護者が一人だけの場合でも、クッションをあてがう最適な位置を探してあてがうことができる。
このようにして、クッションとして使用したり、クッションをあてがう場合の補助として使用したりすれば、被介護者の敷布団に接している身体表皮の血行が悪化して皮膚障害を容易に防止することができる。
また、膨脹した介護用膨張袋１は、空気弁Ｂからの排気によって萎むので、高さが緩やかに減少する。これにより、被介護者が緩やかに降下するので、被介護者に不快感を与えることが無い。
さらに、介護用膨張袋１から空気を抜いて萎ませた場合には、薄く折り畳むことができ、芯材を用いたクッションに比べて非常に軽いうえ、嵩張らないので、運搬設備や保管場所のスペースを有効に活用することができる。
【００１７】
また、介護用膨張袋１は、底面１０と上面２０に滑り止めが付されていても良い。滑り止めとしては、底面１０と上面２０の表面に摩擦係数を高くする溶剤Ｒが塗布されていても良く（図６参照）、或いは、摩擦係数を高くするシート（例えばゴムシート）が貼付されていても良い（図示せず）。
滑り止めは、底面１０と上面２０の双方に付されていても、底面１０と上面２０のいずれか一方に付されていても良い。このように、滑り止めを付した場合には、介護用膨張袋１が移動し難くなるので、被介護者の背中の適切な箇所に当てつけることができる。
【００１８】
なお、複数の介護用膨張袋１を幅方向に並べて使用する場合には、互いの側面３０，４０同士が分離連結可能であっても良い。例えば、側面３０及び側面４０に、図７（ａ）に示すようにスナップボタンＳＢを備えたり、図７（ｂ）に示すように面ファスナーＶを貼付したり、或いは、図７（ｂ）に示すように側面３０及び側面４０をスライドファスナ（ジッパーとも言う）ＳＦで分離可能に連結しても良い。このように構成すれば、同型の介護用膨張袋１を組み合わせて、使用現場の要求に合った幅で設置することができる。
【実施例２】
【００１９】
実施例２による介護用膨張袋１は、図８（ａ）に示すように、第一の膨張部１ａと、該第一の膨張部１ａと同形に形成された第二の膨張部１ｂと、第一の膨張部１ａの一辺側と第二の膨張部１ｂの一辺側が分離可能に連結される結合部６０とによって構成されている。
なお、第二の膨張部１ｂは、第一の膨張部１ａと同形に形成され、結合部６０は、第一の膨張部１ａ及び第二の膨張部１ｂにそれぞれ備えられた突起群６０ａ同士が噛み合って構成されている。
また、第一の膨張部１ａと第二の膨張部１ｂは、その一方若しくは両方を任意に膨脹させることができ、図８（ｂ）には、第二の膨張部１ｂを膨脹させた一例を示す。
【００２０】
第一及び第二の膨張部１ａ，１ｂを図９に従って説明する。なお、第一の膨張部１ａと第二の膨張部１ｂは同形に形成されているので、図では、その一方のみを示し、（ａ）は膨脹させた第一及び第二の膨張部１ａ，１ｂを上面側から見た斜視図、（ｂ）は底面側から見た斜視図、（ｃ）は（ａ）のＡ−Ａ線断面図である。また、第一の膨張部１ａ及び第二の膨張部１ｂの全体構成は、前述した実施例１の介護用膨張袋１の構成と同様であるので、同一の符号を用いることでその説明を省略し、ここでは、その特徴的な構成である突起群６０ａを中心に説明する。
突起群６０ａは、第一の膨張部１ａ及び第二の膨張部１ｂの一辺側に備えられている。具体的には、突起群６０ａは、上面２０の前辺（短辺）２１付近、及び、下面１０の前辺（短辺）１１付近に備えられている。
上面２０に施された突起群６０ａは、上面２０の傾斜方向（図９中の両矢印Ｓ参照）に直交して、上面２０の表面から突出したリブ形状の４本の突起６２ａ，６２ｂ，６２ｃ，６２ｄが、上面２０のビニールシートと一体に、かつ、所定の間隔で備えられている。さらに、底面１０に施された突起群６０ａは、前記上面２０の突起群６０ａと並行に、下面１０の表面から突出した（図９（ｃ）参照）リブ形状の４本の突起６１ａ，６１ｂ，６１ｃ，６１ｄが、底面１０のビニールシートと一体に、かつ、所定の間隔で備えられている。
なお、所定の間隔は、各突起６１ａ，６１ｂ，６１ｃ，６１ｄ，６２ａ，６２ｂ，６２ｃ，６２ｄの幅よりも大きな間隔が設定されていれば良い。また、突起の数は、上述した４本に限定されるものではなく、第一の膨張部１ａ及び第二の膨張部１ｂのサイズや使用環境に合わせて自由に設定すれば良い。
【００２１】
図１０乃至図１３は、本実施例の使用形態を示す。
まず、第一の膨張部１ａと第二の膨張部１ｂは、図１０に示すように、空気を抜いて畳まれた状態で、第一の膨張部１ａの底面１０に施された突起群６０ａの突起６１ａ，６１ｂ，６１ｃ，６１ｄと、第二の膨張部１ｂの上面２０に施された突起群６０ａの突起６２ａ，６２ｂ，６２ｃ，６２ｄが、一方の突起間の間隔に他方の突起が入り込むように重ねあわされている。すなわち、第一の膨張部１ａの突起群６０ａが配された底面１０の領域と、第二の膨張部１ｂの突起群６０ａが配された上面２０の領域が対向して重ねあわされる。
被介護者Ｐは、第一の膨張部１ａと第二の膨張部１ｂの重ねあわされた部分を背中の中心付近にあてて、介護用膨張袋１ａ，１ｂの膨脹時傾斜方向（図中左右方向）と直交するよう（図中前後方向）に仰臥する。
【００２２】
次に、第二の膨張部１ｂの空気弁Ｂから空気を吹き込んだ場合を説明する。この場合には、図１１に示すように、第二の膨張部１ｂが徐々に膨らみ、被介護者Ｐの背中の片側寄り（図では向かって右側）を上方（矢印Ｄ１方向）に押し上げる。
さらに空気が吹き込まれると、第二の膨張部１ｂはさらに膨らむので、図１２に示すように、上面２０が、表面の形状を被介護者Ｐの背中の曲線に合わせて変形しつつ、傾斜角度を増していく（図１２中の角度θ１参照）。このとき、上面２０には、傾斜角度θ１に対して略垂直方向に被介護者Ｐの背中を押す力（図１２中の矢印Ｄ１）が発生し、これにより、被介護者Ｐは斜め上方（矢印Ｄ１方向）に押し上げられる。
【００２３】
このとき、第二の膨張部１ｂには、押し上げる力（図１２中の矢印Ｄ１）の反力により、被介護者Ｐの背中から飛び出す方向の力（図１２中の矢印Ｄ２）が作用する。しかし、第二の膨張部１ｂの底面１０に施された突起群６０ａの突起６１ａ，６１ｂ，６１ｃ，６１ｄと、第一の膨張部１ａの上面２０に施された突起群６０ａの突起６２ａ，６２ｂ，６２ｃ，６２ｄが互いに噛みあうように重ねられて配されるとともに、重ねあわされた部分が、被介護者Ｐの自重（図１２中の矢印Ｄ３）によって押し付けられ固定されているので、第二の膨張部１ｂが被介護者Ｐの背中の下から飛び出すことがない。
【００２４】
さらに空気が吹き込まれると、図１２に示すように、第二の膨張部１ｂはさらに膨らみ、上面２０がさらに傾斜する（図１３中の角度θ２参照）。このとき、被介護者Ｐは、背部を肩幅方向に丸めるようにしつつ、図中左肩（ＬＳ）を支点にして回転し易くなる。
また、第二の膨張部１ｂには、斜めに押し上げる力（図１３中の矢印Ｄ１）の反力により、被介護者Ｐの背中から飛び出す方向の力（図１３中の矢印Ｄ２）が大きく作用し続けているが、前述したように、該重ねあわされた部分が、被介護者Ｐの自重（図１３中の矢印Ｄ３）によって押し付けられ固定されているので、第二の膨張部１ｂが被介護者Ｐの背中の下から飛び出すことがない。
【００２５】
なお、第一の膨張部１ａに空気を吹き込んだ場合には、上述と同様の作用が第一の膨張部１ａと被介護者Ｐに生じるので、ここではその説明を省略する。
また、本実施例では、第一の膨張部１ａの底面１０の突起群６０ａと、第二の膨張部１ｂの上面２０の突起群６０ａを重ねあわせたが、これに限定されず、第一の膨張部１ａの上面２０の突起群６０ａと、第二の膨張部１ｂの底面１０の突起群６０ａを重ねあわせても良い。
さらに、突起群６０ａは、本実施利では、第一の膨張部１ａ及び第二の膨張部１ｂの底面１０と上面２０の双方に配設したが、これに限定されず、第一の膨張部１ａ及び第二の膨張部１ｂの対向領域のみに配設されていても良い。または、第一の膨張部１ａ及び第二の膨張部１ｂの底面１０と上面２０の全面に配設されていても良い。
【００２６】
本実施例では、上述した実施例１の効果に加えて、第一の膨張部１ａと第二の膨張部１ｂは、萎ませて折り畳んだ場合に薄く嵩張らなくなるばかりでなく、第一の膨張部１ａと第二の膨張部１ｂを連結している結合部６０は分離可能であるので、第一の膨張部１ａと第二の膨張部１ｂを分離すれば、コンパクトな状態で保管や運搬をすることができ、そのためのスペースを有効に活用することができる。
また、突起群６０ａを底面１０と底面２０の双方に備えたので、第一の膨張部１ａと第二の膨張部１ｂは同形となり、生産時のコストを押えることができるとともに、どちらか第一の膨張部が汚れたり破損したりした場合であっても、容易に交換可能である。
さらに、第一の膨張部１ａと第二の膨張部１ｂは、ビニールシートで中空に形成されており、芯材を用いてないので、例えば被介護者の尿などで汚れされた場合であっても、洗浄が容易で、すぐに再使用することができる。
【００２７】
また、結合部６０は、第一の膨張部１ａと第二の膨張部１ｂを分離可能に連結できれば、他の構成であっても良い。例えば、図１４に示すように、第一の膨張部１ａと第二の膨張部１ｂの上面２０の前辺２１（下面１０の前辺１１）に蟻溝形状の結合部を形成して第一の膨張部１ａと第二の膨張部１ｂが連結するようにしても良い。また、図１５に示すように、第一の膨張部１ａと第二の膨張部１ｂの上面２０と下面１０に面ファスナＶを備え、面ファスナＶ同士が一体に張り付くことにより第一の膨張部１ａと第二の膨張部１ｂが連結するようにしても良い。さらに、図示を省略するが、スナップボタンやスライドファスナ（ジッパーとも言う）を備えて第一の膨張部１ａと第二の膨張部１ｂが連結するようにしても良い。この場合であっても、本実施例と同様の効果を得ることができる。
【００２８】
また、上述した各実施例において、底面１０、上面２０及び後面５０を長方形に形成したが、上面２０が所定の角度θで形成されていれば長方形の形状に限定されない。例えば、楕円形状に形成されていても良い。また、介護用膨張袋１の各面１０，２０，３０，４０，５０は平面に限定されず、膨脹時に外側に膨らんだ球面となっても良い。この場合であっても、上述した本実施例と同様の効果が得られる。
【００２９】
また、上述した各実施例による介護用膨脹袋は、塩化ビニール樹脂による複数のビニールシートの端辺同士をウエルダ加工で溶着して袋体に形成した場合を説明したが、軟質シートの端辺同士が一体に加工されることにより、空気を入れて膨脹させることができる袋体に形成されれば、他の軟質樹脂が他の方法で形成されていても良い。例えば、複数の軟質ゴムによるシートの端辺同士を強力な接着剤で接着することによって袋体に形成されていても良い。
【図面の簡単な説明】
【００３０】
【図１】実施例１による介護用膨脹袋を示し、（ａ）は膨脹させた介護用膨張袋を上面側から見た斜視図、（ｂ）は同介護用膨脹袋を底面側から見た斜視図、（ｃ）は（ａ）のＡ−Ａ線断面図である。
【図２】実施例１による介護用膨脹袋の使用形態を示す説明図であって、介護用膨張袋が萎んで折り畳まれた状態を示す。
【図３】実施例１による介護用膨脹袋による使用形態を示す説明図であって、介護用膨張袋が膨脹した状態を示す。
【図４】実施例１による介護用膨脹袋による使用形態を示す説明図であって、介護用膨張袋がさらに膨脹した状態を示す。
【図５】実施例１による介護用膨脹袋による使用形態を示す説明図であって、介護用膨張袋がさらに膨脹した状態を示す。
【図６】実施例１による介護用膨脹袋の変形例を示す説明斜視図である。
【図７】実施例１による介護用膨脹袋の変形例を示す説明斜視図である。
【図８】実施例２による介護用膨脹袋を示し、（ａ）は第一の膨張部と第二の膨張部が結合した状態を示し、（ｂ）は一方の膨張部が膨脹した状態を示す説明図である。
【図９】実施例２による介護用膨脹袋の膨脹部を示し、（ａ）は膨脹させた膨張部を上面側から見た斜視図、（ｂ）は底面側から見た斜視図、（ｃ）は（ａ）のＡ−Ａ線断面図である。
【図１０】実施例２による介護用膨脹袋の使用形態を示す説明図であって、介護用膨張袋が萎んで折り畳まれた状態を示す。
【図１１】実施例２による介護用膨脹袋による使用形態を示す説明図であって、介護用膨張袋が膨脹した状態を示す。
【図１２】実施例２による介護用膨脹袋による使用形態を示す説明図であって、介護用膨張袋がさらに膨脹した状態を示す。
【図１３】実施例２による介護用膨脹袋による使用形態を示す説明図であって、介護用膨張袋がさらに膨脹した状態を示す。
【図１４】実施例２による介護用膨脹袋の変形例を示す説明斜視図である。
【図１５】実施例２による介護用膨脹袋の変形例を示す説明斜視図である。
【符号の説明】
【００３１】
１  介護用膨張袋
１０  底面
２０  上面
Ｂ  空気弁
【図１】
0003139760.tif 000003
【図２】
0003139760.tif 000004
【図３】
0003139760.tif 000005
【図４】
0003139760.tif 000006
【図５】
0003139760.tif 000007
【図６】
0003139760.tif 000008
【図７】
0003139760.tif 000009
【図８】
0003139760.tif 000010
【図９】
0003139760.tif 000011
【図１０】
0003139760.tif 000012
【図１１】
0003139760.tif 000013
【図１２】
0003139760.tif 000014
【図１３】
0003139760.tif 000015
【図１４】
0003139760.tif 000016
【図１５】
0003139760.tif 000017